(57)【要約】【課題】  継目に紐材が侵入することを抑制することができるコムプレート具を提供する。【解決手段】  コムプレート具は、マンコンベヤの乗降床の端部に配置されるコムプレート具において、第１横方向の内側に向けて突出する櫛歯を有し、互いの間で継目を形成するように、第１横方向と直交する第２横方向に並列される第１櫛板具及び第２櫛板具を備え、継目の第１横方向の内側端部は、上下方向視で、第１横方向と交差するように延びる。【選択図】  図６
2020147437.tif 000002
【特許請求の範囲】
【請求項１】
マンコンベヤの乗降床の端部に配置されるコムプレート具において、
第１横方向の内側に向けて突出する櫛歯を有し、互いの間で継目を形成するように、第１横方向と直交する第２横方向に並列される第１櫛板具及び第２櫛板具を備え、
前記継目の第１横方向の内側端部は、上下方向視で、第１横方向と交差するように延びる、コムプレート具。
【請求項２】
前記継目の第１横方向の内側端部は、上下方向視で、第２横方向に沿って延びる、請求項１に記載のコムプレート具。
【請求項３】
前記継目は、上下方向視で、前記櫛歯から延びる、請求項１又は２に記載のコムプレート具。
【請求項４】
前記櫛歯間に、凹部を備え、
前記凹部は、第２横方向の中央に、上下方向視で第１横方向の最も外側に位置する底部を備え、
前記継目は、上下方向視で、前記底部よりも第１横方向の内側から延びる、請求項１〜３の何れか１項に記載のコムプレート具。
【請求項５】
前記凹部は、前記底部の第２横方向の外側端に連接される底側部を備え、
前記底側部は、第２横方向の外側に行くにつれて第１横方向の内側へ向かうように、形成され、
前記継目は、前記底側部又は前記底側部よりも第１横方向の内側から延びる、請求項４に記載のコムプレート具。
【請求項６】
請求項１〜５の何れか１項に記載のコムプレート具を備える、マンコンベヤ。
【請求項７】
請求項１〜５の何れか１項に記載のコムプレート具の前記第１櫛板具及び前記第２櫛板具の少なくとも一方に用いられる、櫛板具。
【発明の詳細な説明】
【技術分野】
【０００１】
本発明は、コムプレート具、マンコンベヤ及び櫛板具に関する。
【背景技術】
【０００２】
従来、例えば、コムプレート具は、第１横方向の内側に向けて突出する櫛歯を有する第１櫛板具及び第２櫛板具を備えている（例えば、特許文献１及び２）。そして、第１櫛板具及び第２櫛板具は、第１横方向と直交する第２横方向に並列されている。これにより、第１櫛板具及び第２櫛板具の間に、第１横方向に沿って延びる継目が形成されるため、紐材が継目に侵入する場合がある。
【先行技術文献】
【特許文献】
【０００３】
【特許文献１】特開２０１７−１０５６１０号公報
【特許文献２】特開２００９−２８０３６０号公報
【発明の概要】
【発明が解決しようとする課題】
【０００４】
そこで、課題は、継目に紐材が侵入することを抑制することができるコムプレート具、マンコンベヤ及び櫛板具を提供することである。
【課題を解決するための手段】
【０００５】
コムプレート具は、マンコンベヤの乗降床の端部に配置されるコムプレート具において、第１横方向の内側に向けて突出する櫛歯を有し、互いの間で継目を形成するように、第１横方向と直交する第２横方向に並列される第１櫛板具及び第２櫛板具を備え、前記継目の第１横方向の内側端部は、上下方向視で、第１横方向と交差するように延びる。
【０００６】
また、コムプレート具においては、前記継目の第１横方向の内側端部は、上下方向視で、第２横方向に沿って延びる、という構成でもよい。
【０００７】
また、コムプレート具においては、前記継目は、上下方向視で、前記櫛歯から延びる、という構成でもよい。
【０００８】
また、コムプレート具は、前記櫛歯間に、凹部を備え、前記凹部は、第２横方向の中央に、上下方向視で第１横方向の最も外側に位置する底部を備え、前記継目は、上下方向視で、前記底部よりも第１横方向の内側から延びる、という構成でもよい。
【０００９】
また、コムプレート具においては、前記凹部は、前記底部の第２横方向の外側端に連接される底側部を備え、前記底側部は、第２横方向の外側に行くにつれて第１横方向の内側へ向かうように、形成され、前記継目は、前記底側部又は前記底側部よりも第１横方向の内側から延びる、という構成でもよい。
【００１０】
また、マンコンベヤは、前記のコムプレート具を備える。
【００１１】
また、櫛板具は、前記のコムプレート具の前記第１櫛板具及び前記第２櫛板具の少なくとも一方に用いられる。
【図面の簡単な説明】
【００１２】
【図１】図１は、一実施形態に係るマンコンベヤの概要図である。
【図２】図２は、同実施形態に係るマンコンベヤの乗降部の平面図である。
【図３】図３は、同実施形態に係るコムプレート具の全体平面図である。
【図４】図４は、図３のIV−IV線拡大断面図である。
【図５】図５は、同実施形態に係るコムプレート具の要部平面図である。
【図６】図６は、同実施形態に係るコムプレート具の要部拡大平面図である。
【図７】図７は、同実施形態に係るコムプレート具の第１横方向の外側向き視の要部図である。
【図８】図８は、他の実施形態に係るコムプレート具の要部拡大平面図である。
【図９】図９は、さらに他の実施形態に係るコムプレート具の要部拡大平面図である。
【図１０】図１０は、さらに他の実施形態に係るコムプレート具の要部拡大平面図である。
【図１１】図１１は、さらに他の実施形態に係るコムプレート具の要部拡大平面図である。
【発明を実施するための形態】
【００１３】
以下、マンコンベヤ、コムプレート具及び櫛板具における一実施形態について、図１〜図７を参照しながら説明する。なお、各図（図８〜図１１も同様）において、図面の寸法比と実際の寸法比とは、必ずしも一致しておらず、また、各図面の間での寸法比も、必ずしも一致していない。
【００１４】
図１に示すように、本実施形態に係るマンコンベヤ１０は、躯体（例えば、梁）に設置される構造体１１と、人を第１横方向Ｄ１へ搬送する搬送部１２と、搬送部１２を第２横方向Ｄ２で挟むように配置される一対の欄干部１３，１３（図１においては、一つのみを図示している）とを備えている。また、マンコンベヤ１０は、搬送部１２及び欄干部１３を駆動させる駆動部１４を備えている。
【００１５】
図１において、第１横方向Ｄ１は、水平方向と平行な方向であって、前後方向Ｄ１といい、第２横方向Ｄ２は、水平方向と平行な方向で且つ第１横方向Ｄ１と直交する方向であって、幅方向Ｄ２といい、第３方向Ｄ３は、鉛直方向と平行な方向であって、上下方向Ｄ３という。なお、第１横方向Ｄ１において、内側は、マンコンベヤ１０の第１横方向Ｄ１の中心に近い側となり、外側は、マンコンベヤ１０の第１横方向Ｄ１の中心から遠い側となる。
【００１６】
また、本実施形態に係るマンコンベヤ１０は、人を搬送するために、踏面が階段状になるエスカレータであるが、斯かる構成に限られない。例えば、マンコンベヤ１０は、人を搬送するために、踏面が平面状となる移動歩道（動く歩道）であってもよい。
【００１７】
搬送部１２は、駆動部１４に駆動されることによって無端回転する環状の走行部（例えば、チェーン）１２ａと、走行部１２ａに対して回転可能に接続され、人が乗る踏面を有する複数のステップ１２ｂとを備えている。走行部１２ａは、第２横方向Ｄ２に離れて一対設けられている（図１においては、一つのみ図示している）。そして、複数のステップ１２ｂは、一対の走行部１２ａ，１２ａの間に配置され、それぞれの走行部１２ａに対して回転可能に接続されている。
【００１８】
欄干部１３は、駆動部１４に駆動されることによって無端回転する環状の手摺ベルト１３ａと、手摺ベルト１３ａを支持するベルト支持部１３ｂとを備えている。また、欄干部１３は、ベルト支持部１３ｂの下部を覆うカバー部１３ｃを備えている。
【００１９】
駆動部１４は、ステップ１２ｂが反転するように、走行部１２ａが巻き掛けられる一対の回転部（例えば、スプロケット）１４ａ，１４ａと、回転部１４ａを回転させる駆動源（例えば、モータ）１４ｂとを備えている。なお、回転部１４ａは、構造体１１に回転可能に接続されている。
【００２０】
構造体１１は、各構成１２〜１４を支持している。また、構造体１１は、第１横方向Ｄ１のそれぞれの端部に、機械室１１ａ，１１ａを備えている。具体的には、構造体１１は、マンコンベヤ１０の各乗降部１０ａの下方に、機械室１１ａ，１１ａを備えている。また、マンコンベヤ１０は、各乗降部１０ａの床を構成する乗降床１５を備えている。乗降床１５は、各機械室１１ａ，１１ａを上方から覆うように、構造体１１の上に設置されている。
【００２１】
乗降床１５は、乗降部１０ａの床を構成するために、図２に示すように、構造体１１の上に設置される複数の床プレート具１５ａを備えている。なお、床プレート具１５ａの個数は、特に限定されないが、本実施形態においては、三つとしている。また、乗降床１５は、第１横方向Ｄ１の内側端部に配置されるコムプレート具１を備えている。
【００２２】
床プレート具１５ａは、欄干部１３が設置されている状態において、構造体１１に対して着脱可能である一方で、コムプレート具１は、欄干部１３が設置されている状態において、構造体１１に対して着脱不能である（なお、後述する「櫛板具」は、着脱可能である）。したがって、マンコンベヤ１０を保守及び点検する際に、床プレート具１５ａは、構造体１１から取り外され、コムプレート具１は、構造体１１から取り外されない。
【００２３】
また、床プレート具１５ａは、例えば、ボルト及びナットのような固定材によって、構造体１１に固定されていない。即ち、各床プレート具１５ａは、単に、構造体１１の上に載せられているだけであって、自重によって、構造体１１の上に設置されている。なお、床プレート具１５ａは、固定材によって、構造体１１に不動に固定されていてもよい。
【００２４】
図３及び図４に示すように、コムプレート具１は、平板状に形成されるプレート体２と、プレート体２の第１横方向Ｄ１の内側端部に着脱可能な複数の櫛板具３と、櫛板具３をプレート体２に固定する固定具４とを備えている。なお、コムプレート具１は、ボルト及びナットのような固定材によって、構造体１１（図２参照）に不動に固定されている。
【００２５】
プレート体２は、平板状に形成される本体部２１と、本体部２１の第１横方向Ｄ１の内側端部に連接され、複数の櫛板具３を下方から支持する支持部２２とを備えている。なお、支持部２２の厚みは、本体部２１の厚みよりも、薄くなっている。
【００２６】
櫛板具３は、プレート体２の支持部２２に固定される板状のベース部３１と、ベース部３１から第１横方向Ｄ１の内側に向けて突出する複数の櫛歯３２とを備えている。複数の櫛歯３２は、ステップ１２ｂ（図２参照）の踏面の凹凸と、非接触状態で噛み合うように、第２横方向Ｄ２に並列されている。なお、櫛板具３の個数は、複数であれば、特に限定されないが、本実施形態においては、コムプレート具１は、櫛板具３を七つ備えている。また、櫛歯３２の個数は、特に限定されない。
【００２７】
固定具４は、特に限定されないが、本実施形態においては、雄ネジ材（例えば、ボルト）としている。そして、櫛板具３のベース部３１は、固定具４に挿入される孔部３３を備えており、プレート体２の支持部２２は、固定具４のネジ部４１と螺合するネジ部（雌ネジ）２３を備えている。これにより、固定具４の頭部４２がベース部３１を止めることによって、櫛板具３は、プレート体２に固定されている。
【００２８】
なお、プレート体２及び櫛板具３の材質は、特に限定されないが、プレート体２の強度は、櫛板具３の強度よりも、大きくなっていることが好ましい。これにより、例えば、プレート体２は、金属で形成されていてもよく、また、例えば、櫛板具３は、硬質樹脂で形成されていてもよい。
【００２９】
ここで、隣り合う二つの櫛板具３，３の間で形成される継目５の構造について、図５〜図７を参照しながら説明する。以下、二つの櫛板具３，３は、区別される際に、それぞれ第１櫛板具３ａ及び第２櫛板具３ｂと呼ばれる。
【００３０】
図５〜図７に示すように、第１櫛板具３ａと第２櫛板具３ｂとが、第２横方向Ｄ２で並列されることによって、コムプレート具１は、第１櫛板具３ａと第２櫛板具３ｂとの間で、継目５を形成している。なお、継目５とは、第１櫛板具３ａと第２櫛板具３ｂとが接して形成される継目だけでなく、第１櫛板具３ａと第２櫛板具３ｂとの間に隙間を有して形成される継目も含む。
【００３１】
櫛板具３ａ，３ｂは、櫛歯３２，３２間に配置される凹部３４を備えている。図６及び図７に示すように、凹部３４は、第２横方向Ｄ２の中央に、上下方向Ｄ３視で第１横方向Ｄ１の最も外側に位置する底部３４ａと、底部３４ａよりも第２横方向Ｄ２の外側に配置される底側部３４ｂとを備えている。
【００３２】
底部３４ａは、上下方向Ｄ３視で、直線状であって、第２横方向Ｄ２に沿って延びている。また、底側部３４ｂは、上下方向Ｄ３視で、第２横方向Ｄ２の外側に行くにつれて第１横方向Ｄ１の内側へ向かうように、形成されている。なお、本実施形態においては、底側部３４ｂは、上下方向Ｄ３視で、曲線状であるが、直線状であってもよい。そして、底側部３４ｂの第２横方向Ｄ２の外側端（第１横方向Ｄ１の内側端）は、櫛歯３２の第２横方向Ｄ２の内側端（第１横方向Ｄ１の外側端）と連接されている。
【００３３】
ところで、例えば、靴紐などの紐材Ｘ１が、櫛板具３ａ，３ｂとステップ１２ｂ（図２参照）との間に入り込んで、紐材Ｘ１が凹部３４に侵入した場合には、紐材Ｘ１に張力が働く。このとき、紐材Ｘ１は、上下方向Ｄ３に沿って直線状に伸び、第１横方向Ｄ１の外側に向けて引っ張られる。
【００３４】
それに対して、継目５の第１横方向Ｄ１の内側端部５１は、上下方向Ｄ３視で、第１横方向Ｄ１と交差するように延びている。具体的には、継目５の第１横方向Ｄ１の内側端部５１は、上下方向Ｄ３視で、底部３４ａの第２横方向Ｄ２の外側端から、第２横方向Ｄ２に沿って延びている。
【００３５】
これにより、紐材Ｘ１が引っ張られる方向は、継目５の内側端部５１が延びる方向と、異なることになる。具体的には、紐材Ｘ１が引っ張られる方向は、継目５の内側端部５１が延びる方向と、直交することになる。したがって、継目５を有する凹部３４に、紐材Ｘ１が侵入した場合でも、継目５に紐材Ｘ１が侵入することを抑制することができる。
【００３６】
なお、上方側の乗降床１５のコムプレート具１について、説明したが、下方側の乗降床１５のコムプレート具１においても、継目５の第１横方向Ｄ１の内側端部５１は、上下方向Ｄ３視で、第１横方向Ｄ１と交差するように延びている、という構成でもよい。即ち、一対の乗降床１５のコムプレート具１のうち、少なくとも一方において、継目５の第１横方向Ｄ１の内側端部５１は、上下方向Ｄ３視で、第１横方向Ｄ１と交差するように延びている、という構成であればよい。
【００３７】
また、所定の隣り合う二つの櫛板具３ａ，３ｂについて、説明したが、全ての隣り合う二つの櫛板具３ａ，３ｂ間で形成される継目５において、第１横方向Ｄ１の内側端部５１は、上下方向Ｄ３視で、第１横方向Ｄ１と交差するように延びている、という構成でもよい。即ち、複数の、隣り合う二つの櫛板具３ａ，３ｂのうち、少なくとも一つの、隣り合う二つの櫛板具３ａ，３ｂ間で形成される継目５において、第１横方向Ｄ１の内側端部５１は、上下方向Ｄ３視で、第１横方向Ｄ１と交差するように延びている、という構成であればよい。
【００３８】
以上より、本実施形態に係るマンコンベヤ１０は、前記のコムプレート具１を備える。
【００３９】
そして、本実施形態に係るコムプレート具１は、マンコンベヤ１０の乗降床１５の端部に配置されるコムプレート具１において、第１横方向Ｄ１の内側に向けて突出する櫛歯３２を有し、互いの間で継目５を形成するように、第１横方向Ｄ１と直交する第２横方向Ｄ２に並列される第１櫛板具３ａ及び第２櫛板具３ｂを備え、前記継目５の第１横方向Ｄ１の内側端部５１は、上下方向Ｄ３視で、第１横方向Ｄ１と交差するように延びる。
【００４０】
そして、櫛板具３は、前記のコムプレート具１の前記第１櫛板具３ａ及び前記第２櫛板具３ｂの少なくとも一方に用いられる。
【００４１】
斯かる構成によれば、継目５に紐材Ｘ１が侵入しようとする場合に、紐材Ｘ１が第１横方向Ｄ１に向けて引っ張られることに対して、継目５の第１横方向Ｄ１の内側端部５１は、上下方向Ｄ３視で、第１横方向Ｄ１と交差するように延びている。これにより、紐材Ｘ１が引っ張られる方向が、継目５の第１横方向Ｄ１の内側端部５１が延びる方向と、異なるため、継目５に紐材Ｘ１が侵入することを抑制することができる。
【００４２】
また、本実施形態に係るコムプレート具１においては、前記継目５の第１横方向Ｄ１の内側端部５１は、上下方向Ｄ３視で、第２横方向Ｄ２に沿って延びる、という構成である。
【００４３】
斯かる構成によれば、継目５の第１横方向Ｄ１の内側端部５１が、上下方向Ｄ３視で、第２横方向Ｄ２に沿って延びているため、紐材Ｘ１が引っ張られる方向は、継目５の第１横方向Ｄ１の内側端部５１が延びる方向と、直交する。これにより、継目５に紐材Ｘ１が侵入することを効果的に抑制することができる。
【００４４】
なお、マンコンベヤ１０、コムプレート具１及び櫛板具３は、上記した実施形態の構成に限定されるものではなく、また、上記した作用効果に限定されるものではない。また、マンコンベヤ１０、コムプレート具１及び櫛板具３は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４５】
（１）上記実施形態に係るコムプレート具１においては、継目５の第１横方向Ｄ１の内側端部５１は、上下方向Ｄ３視で、第２横方向Ｄ２に沿って延びる、という構成である。しかしながら、コムプレート具１は、斯かる構成が好ましいものの、斯かる構成に限られない。例えば、図８に示すように、継目５の第１横方向Ｄ１の内側端部５１は、上下方向Ｄ３視で、第２横方向Ｄ２に対して傾斜して延びる、という構成でもよい。
【００４６】
図８に係る継目５の第１横方向Ｄ１の内側端部５１は、上下方向Ｄ３視で、第２横方向Ｄ２に対して、第１横方向Ｄ１の外側に傾斜して延びている。斯かる構成においては、継目５の内側端部５１が第２横方向Ｄ２に対して傾斜する角度θ１は、例えば、４５°以下であることが好ましく、３０°以下であることがより好ましく、１５°以下であることがさらに好ましい。なお、継目５の内側端部５１は、上下方向Ｄ３視で、第２横方向Ｄ２に対して、第１横方向Ｄ１の内側に傾斜して延びている、という構成でもよい。
【００４７】
（２）また、上記実施形態に係るコムプレート具１においては、継目５は、上下方向Ｄ３視において、底部３４ａの第２横方向Ｄ２の外側端から延びている、という構成である。しかしながら、コムプレート具１は、斯かる構成に限られない。例えば、図９〜図１１に示すように、継目５は、上下方向Ｄ３視で、底部３４ａよりも第１横方向Ｄ１の内側から延びる、という構成でもよい。
【００４８】
（２−１）図９〜図１１に係るコムプレート具１は、前記櫛歯３２，３２間に、凹部３４を備え、前記凹部３４は、第２横方向Ｄ２の中央に、上下方向Ｄ３視で第１横方向Ｄ１の最も外側に位置する底部３４ａを備え、前記継目５は、上下方向Ｄ３視で、前記底部３４ａよりも第１横方向Ｄ１の内側から延びる、という構成である。
【００４９】
斯かる構成によれば、紐材Ｘ１が凹部３４に侵入した場合には、紐材Ｘ１は、底部３４ａに到達した後に、引っ張られることに対して、継目５は、上下方向Ｄ３視で、底部３４ａよりも第１横方向Ｄ１の内側から延びている。これにより、紐材Ｘ１が押し当てられる位置が、継目５から離れているため、継目５に紐材Ｘ１が侵入することを抑制することができる。
【００５０】
（２−２）また、図９及び図１０に係るコムプレート具１においては、前記凹部３４は、前記底部３４ａの第２横方向Ｄ２の外側端に連接される底側部３４ｂを備え、前記底側部３４ｂは、第２横方向Ｄ２の外側に行くにつれて第１横方向Ｄ１の内側へ向かうように、形成され、前記継目５は、前記底側部３４ｂ又は前記底側部３４ｂよりも第１横方向Ｄ１の内側から延びる、という構成である。
【００５１】
斯かる構成によれば、紐材Ｘ１が凹部３４に侵入した場合には、紐材Ｘ１は、底側部３４ｂから底部３４ａへ案内される。これにより、紐材Ｘ１が底部３４ａに確実に到達した後に引っ張られることに対して、継目５は、底側部３４ｂ又は底側部３４ｂよりも第１横方向Ｄ１の内側から延びている。これにより、紐材Ｘ１が押し当てられる位置が、継目５から確実に離れることができるため、継目５に紐材Ｘ１が侵入することを効果的に抑制することができる。
【００５２】
なお、図９に係るコムプレート具１においては、継目５は、底側部３４ｂ（具体的には、底側部３４ｂの中間部）から延びている。また、図１０に係るコムプレート具１においては、継目５は、底側部３４ｂよりも第１横方向Ｄ１の内側（具体的には、櫛歯３２）から延びている。
【００５３】
（２−３）また、図１０及び図１１に係るコムプレート具１においては、前記継目５は、上下方向Ｄ３視で、前記櫛歯３２から延びる、という構成である。斯かる構成によれば、紐材Ｘ１が凹部３４に侵入した場合には、紐材Ｘ１は、底部３４ａに到達した後に、引っ張られることに対して、継目５は、上下方向Ｄ３視で、櫛歯３２から延びている。これにより、紐材Ｘ１が押し当てられる位置が、継目５から確実に離れているため、継目５に紐材Ｘ１が侵入することを抑制することができる。
【００５４】
（３）また、上記実施形態に係るコムプレート具１においては、凹部３４の底部３４ａは、上下方向Ｄ３視で、直線状に形成されている、という構成である。しかしながら、コムプレート具１は、斯かる構成に限られない。例えば、図９に示すように、凹部３４の底部３４ａは、底側部３４ｂ，３４ｂが接合する位置のみであって、上下方向Ｄ３視で、点である、という構成でもよい。
【００５５】
（４）また、上記実施形態に係るコムプレート具１においては、凹部３４は、底部３４ａと、底部３４ａの第２横方向Ｄ２の外側端に連接される底側部３４ｂとを備えている、という構成である。しかしながら、コムプレート具１は、斯かる構成に限られない。例えば、図１１に示すように、凹部３４は、底側部３４ｂを備えておらず、底部３４ａの第２横方向Ｄ２の外側端は、櫛歯３２に連接されている、という構成でもよい。
【００５６】
（５）また、上記実施形態に係るコムプレート具１においては、継目５の第１横方向Ｄ１の内側端部５１は、上下方向Ｄ３視で、直線状に延びている、という構成である。しかしながら、コムプレート具１は、斯かる構成に限られない。例えば、継目５の第１横方向Ｄ１の内側端部５１は、上下方向Ｄ３視で、曲線状に延びている、という構成でもよく、また、ジグザグ状又は波状に延びている、という構成でもよい。
【００５７】
（６）また、上記実施形態に係るコムプレート具１においては、凹部３４は、第２横方向Ｄ２の中央に、上下方向Ｄ３視で第１横方向Ｄ１の最も外側に位置する底部３４ａを備えている、という構成である。しかしながら、コムプレート具１は、斯かる構成に限られない。例えば、凹部３４は、第２横方向Ｄ２の中央に、第１横方向Ｄ１の内側に突出する突出部を備えている、という構成でもよい。
【００５８】
（７）また、上記実施形態に係るコムプレート具１においては、第１櫛板具３ａ及び第２櫛板具３ｂは、それぞれプレート体２に対して着脱可能である、という構成である。しかしながら、コムプレート具１は、斯かる構成に限られない。例えば、第１櫛板具３ａ及び第２櫛板具３ｂのうち、一方は、プレート体２に対して着脱可能であって、他方は、プレート体２に対して着脱不能である、という構成でもよい。
【符号の説明】
【００５９】
１…コムプレート具、２…プレート体、３…櫛板具、３ａ…第１櫛板具、３ｂ…第２櫛板具、４…固定具、５…継目、１０…マンコンベヤ、１０ａ…乗降部、１１…構造体、１１ａ…機械室、１２…搬送部、１２ａ…走行部、１２ｂ…ステップ、１３…欄干部、１３ａ…手摺ベルト、１３ｂ…ベルト支持部、１３ｃ…カバー部、１４…駆動部、１４ａ…回転部、１４ｂ…駆動源、１５…乗降床、１５ａ…床プレート具、２１…本体部、２２…支持部、２３…ネジ部、３１…ベース部、３２…櫛歯、３３…孔部、３４…凹部、３４ａ…底部、３４ｂ…底側部、４１…ネジ部、４２…頭部、５１…内側端部、Ｄ１…第１横方向、Ｄ２…第２横方向、Ｄ３…上下方向、Ｘ１…紐材
【図１】
2020147437.tif 000003
【図２】
2020147437.tif 000004
【図３】
2020147437.tif 000005
【図４】
2020147437.tif 000006
【図５】
2020147437.tif 000007
【図６】
2020147437.tif 000008
【図７】
2020147437.tif 000009
【図８】
2020147437.tif 000010
【図９】
2020147437.tif 000011
【図１０】
2020147437.tif 000012
【図１１】
2020147437.tif 000013